【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
可変表示を実行し、遊技者にとって有利な有利状態に制御可能な遊技機であって、
可変表示に関する情報を保留記憶として記憶する保留記憶手段と、
可変表示を開始するときに、当該可変表示結果を特定表示結果とするか否かを決定する決定手段と、
前記決定手段の決定結果に基づいて、可変表示中に、前記特定表示結果となる可能性を予告する予告演出を実行する予告演出実行手段と、
前記保留記憶手段が記憶する保留記憶に基づいて特定表示を表示する特定表示手段と、
前記特定表示結果となるか否かを、前記決定手段による決定前に判定する判定手段と、
前記判定手段による判定に基づいて、当該判定対象となった可変表示が実行される以前に開始前予告演出を実行する開始前予告演出実行手段と、を備え、
前記開始前予告演出実行手段は、
前記特定表示の表示態様を制御する表示態様制御手段を含み、
前記表示態様制御手段は、前記特定表示の表示態様を変化させることが可能であり、
前記特定表示の表示態様には、通常態様と、前記通常態様とは異なる特殊態様と、前記通常態様及び前記特殊態様とは異なる予告態様と、が含まれ、
前記表示態様制御手段は、
前記特定表示の表示態様を前記予告態様にする特定演出を実行可能であり、
前記特定表示の表示態様が前記通常態様であるときよりも前記特殊態様であるときの方が高い割合で前記特定演出を実行し、
前記特定演出の実行期間と当該実行期間以外の期間とで異なる割合で前記特定表示の表示態様を前記特殊態様にし、
前記開始前予告演出実行手段が実行する前記開始前予告演出は、前記予告演出実行手段が実行している前記予告演出から分岐して実行可能である、
ことを特徴とする遊技機。
【請求項２】
可変表示を実行し、遊技者にとって有利な有利状態に制御可能な遊技機であって、
可変表示に関する情報を保留記憶として記憶する保留記憶手段と、
可変表示を開始するときに、当該可変表示結果を特定表示結果とするか否かを決定する決定手段と、
前記決定手段の決定結果に基づいて、可変表示を実行する可変表示実行手段と、
前記決定手段の決定結果に基づいて、可変表示中に、前記特定表示結果となる可能性を予告する予告演出を実行する予告演出実行手段と、
前記保留記憶手段が記憶する保留記憶に基づいて特定表示を表示する特定表示手段と、
前記特定表示結果となるか否かを、前記決定手段による決定前に判定する判定手段と、
前記判定手段による判定に基づいて、当該判定対象となった可変表示が実行される以前に開始前予告演出を実行する開始前予告演出実行手段と、を備え、
前記開始前予告演出実行手段は、
前記特定表示の表示態様を制御する表示態様制御手段を含み、
前記表示態様制御手段は、前記特定表示の表示態様を変化させることが可能であり、
前記特定表示の表示態様には、通常態様と、前記通常態様とは異なる特殊態様、前記通常態様及び前記特殊態様とは異なる予告態様と、が含まれ、
前記表示態様制御手段は、前記特定表示の表示態様が前記通常態様であるときよりも前記特殊態様であるときの方が高い割合で前記特定表示の表示態様を前記予告態様に変化させ、
前記遊技機は、前記有利状態に制御される可能性を予告する特定演出を実行する特定演出実行手段を備え、
前記表示態様制御手段は、前記特定演出の実行期間と当該実行期間以外の期間とで異なる割合で前記特定表示の表示態様を前記特殊態様にし、
前記開始前予告演出実行手段が実行する前記開始前予告演出は、前記予告演出実行手段が実行している前記予告演出から分岐して実行可能である、
ことを特徴とする遊技機。
【手続補正２】
【補正対象書類名】明細書
【補正対象項目名】０００７
【補正方法】変更
【補正の内容】
【０００７】
（１）上記目的を達成するため本発明に係る遊技機は、
可変表示を実行し、遊技者にとって有利な有利状態（例えば、大当り遊技状態など）に制御可能な遊技機（例えば、パチンコ遊技機１など）であって、
可変表示に関する情報を保留記憶として記憶する保留記憶手段（例えば、第１特図保留記憶部及び第２特図保留記憶部など）と、
可変表示を開始するときに、当該可変表示結果を特定表示結果とするか否かを決定する決定手段（特別図柄の変動表示を開始するときに遊技制御用マイクロコンピュータ１００（ＣＰＵ１０３）が、乱数値ＭＲ１などに基づいて表示結果が大当りとなるかはずれかとなるかを判定する部分）と、
前記決定手段の決定結果に基づいて、可変表示中に、前記特定表示結果となる可能性を予告する予告演出（例えば、予告演出Ａ、予告演出Ｂ、ステップアップ予告演出など）を実行する予告演出実行手段（例えば、予告演出実行決定テーブルに基づいて、予告演出を決定する演出制御用ＣＰＵ１２０など）と、
前記保留記憶手段が記憶する保留記憶に基づいて特定表示（例えば、保留表示図柄など）を表示する特定表示手段（例えば、第１保留表示領域５Ｈａや第２保留表示領域５Ｈｂに保留表示図柄を表示する画像表示装置５など）と、
前記特定表示結果となるか否かを、前記決定手段による決定前に判定する判定手段と、
前記判定手段による判定に基づいて、当該判定対象となった可変表示が実行される以前に開始前予告演出（例えば、チャンス目（特殊表示結果）や先読みゾーン突入演出など）を実行する開始前予告演出実行手段（例えば、先読み演出決定処理で先読み演出を決定する演出制御用ＣＰＵ１２０など）と、を備え、
前記開始前予告演出実行手段は、
前記特定表示の表示態様を制御する表示態様制御手段（例えば、保留表示図柄の表示色を制御する演出制御用ＣＰＵ１２０など）を含み、
前記表示態様制御手段は、前記特定表示の表示態様を変化させ（例えば、保留表示図柄の表示色を変化させるなど）ることが可能であり、
前記特定表示の表示態様には、通常態様（例えば、青色など）と、前記通常態様とは異なる特殊態様（例えば、白色及び灰色など）と、前記通常態様及び前記特殊態様とは異なる予告する予告態様（例えば、黄色、緑色、赤色、及び、虹色など）と、が含まれ、
前記表示態様制御手段は、
前記特定表示の表示態様を前記予告態様にする特定演出を実行可能であり（例えば、保留表示図柄の表示色を黄色、緑色、赤色、又は、虹色にするなど）、
前記特定表示の表示態様が前記通常態様であるときよりも前記特殊態様であるときの方が高い割合で前記特定演出を実行し（例えば、図２５〜図４４の各保留表示パターン決定テーブルにおいて、青色から予告態様の表示色に変化するパターンを含む保留表示パターンの決定割合の合計値（又は平均値）よりも、灰色又は白色から予告態様の表示色に変化する態様を含む保留表示パターンの決定割合の合計値（又は平均値）それぞれの方が高くなるようにするなど）、
前記特定演出の実行期間と当該実行期間以外の期間とで異なる割合で前記特定表示の表示態様を前記特殊態様にし（例えば、構成４２など）、
前記開始前予告演出実行手段が実行する前記開始前予告演出は、前記予告演出実行手段が実行している前記予告演出から分岐して実行可能である（例えば、演出制御用ＣＰＵ１２０が、ステップアップ予告演出の１つのステップから先読み予告演出へ強制的に分岐する予告演出を実行するなど）、
ことを特徴とする。
【手続補正３】
【補正対象書類名】明細書
【補正対象項目名】０００８
【補正方法】変更
【補正の内容】
【０００８】
上記の構成によれば、遊技者は特殊態様により注目するので、遊技の興趣が向上する。（２）上記目的を達成するため本発明に係る遊技機は、
可変表示を実行し、遊技者にとって有利な有利状態（例えば、大当り遊技状態など）に制御可能な遊技機（例えば、パチンコ遊技機１など）であって、
可変表示に関する情報を保留記憶として記憶する保留記憶手段（例えば、第１特図保留記憶部及び第２特図保留記憶部など）と、
可変表示を開始するときに、当該可変表示結果を特定表示結果とするか否かを決定する決定手段（特別図柄の変動表示を開始するときに遊技制御用マイクロコンピュータ１００（ＣＰＵ１０３）が、乱数値ＭＲ１などに基づいて表示結果が大当りとなるかはずれかとなるかを判定する部分）と、
前記決定手段の決定結果に基づいて、可変表示中に、前記特定表示結果となる可能性を予告する予告演出（例えば、予告演出Ａ、予告演出Ｂ、ステップアップ予告演出など）を実行する予告演出実行手段（例えば、予告演出実行決定テーブルに基づいて、予告演出を決定する演出制御用ＣＰＵ１２０など）と、
前記特定表示結果となるか否かを、前記決定手段による決定前に判定する判定手段と、
前記判定手段による判定に基づいて、当該判定対象となった可変表示が実行される以前に開始前予告演出（例えば、チャンス目（特殊表示結果）や先読みゾーン突入演出など）を実行する開始前予告演出実行手段（例えば、先読み演出決定処理で先読み演出を決定する演出制御用ＣＰＵ１２０など）と、
前記保留記憶手段が記憶する保留記憶に基づいて特定表示（例えば、保留表示図柄など）を表示する特定表示手段（例えば、第１保留表示領域５Ｈａや第２保留表示領域５Ｈｂに保留表示図柄を表示する画像表示装置５など）と、
実行中の可変表示に対応して今回表示領域（例えば、今回保留表示領域５Ｈｃなど）に前記特定表示を表示する今回表示手段（例えば、今回保留表示領域５Ｈｃに保留表示図柄を表示する画像表示装置５など）と、
前記特定表示手段及び前記今回表示手段が表示する前記特定表示の表示態様を制御する表示態様制御手段（例えば、保留表示図柄の表示色を制御する演出制御用ＣＰＵ１２０など）と、を備え、
前記表示態様制御手段は、前記特定表示手段及び前記今回表示手段が表示する前記特定表示の表示態様を現在の表示態様から他の表示態様に変化させ（例えば、保留表示図柄の表示色を変化させるなど）、
前記特定表示の表示態様には、通常態様（例えば、青色など）と、前記通常態様とは異なる特殊態様（例えば、白色及び灰色など）と、前記通常態様及び前記特殊態様とは異なる予告態様（例えば、黄色、緑色、赤色、及び、虹色など）と、が含まれ、
前記表示態様制御手段は、
前記特定表示手段及び前記今回表示手段が表示する前記特定表示の表示態様を前記予告態様にする特定演出を実行し（例えば、保留表示図柄の表示色を黄色、緑色、赤色、又は、虹色にするなど）、
前記特定表示手段及び前記今回表示手段が表示する前記特定表示の表示態様が前記通常態様であるときよりも前記特殊態様であるときの方が高い割合で前記特定演出を実行し（例えば、各全期間保留表示パターン決定テーブルにおいて、青色から予告態様の表示色に変化するパターンを含む全期間保留表示パターンの決定割合の合計値（又は平均値）よりも、灰色又は白色から予告態様の表示色に変化する態様を含む全期間保留表示パターンの決定割合の合計値（又は平均値）それぞれの方が高くなるようにするなど）、
前記特定演出の実行期間と当該実行期間以外の期間とで異なる割合で前記特定表示の表示態様を前記特殊態様にし（例えば、構成４２など）、
前記開始前予告演出実行手段が実行する前記開始前予告演出は、前記予告演出実行手段が実行している前記予告演出から分岐して実行可能である（例えば、演出制御用ＣＰＵ１２０が、ステップアップ予告演出の１つのステップから先読み予告演出へ強制的に分岐する予告演出を実行するなど）、
ことを特徴とする。
【手続補正４】
【補正対象書類名】明細書
【補正対象項目名】０００９
【補正方法】変更
【補正の内容】
【０００９】
上記の構成によれば、遊技者は特殊態様により注目するので、遊技の興趣が向上する。（３）上記目的を達成するため本発明に係る遊技機は、
可変表示を実し、遊技者にとって有利な有利状態（例えば、大当り遊技状態など）に制御可能な遊技機（例えば、パチンコ遊技機１など）であって、
可変表示に関する情報を保留記憶として記憶する保留記憶手段（例えば、第１特図保留記憶部及び第２特図保留記憶部など）と、
可変表示を開始するときに、当該可変表示結果を特定表示結果とするか否かを決定する決定手段（特別図柄の変動表示を開始するときに遊技制御用マイクロコンピュータ１００（ＣＰＵ１０３）が、乱数値ＭＲ１などに基づいて表示結果が大当りとなるかはずれかとなるかを判定する部分）と、
前記決定手段の決定結果に基づいて、可変表示を実行する可変表示実行手段と、
前記開始時決定手段の決定結果に基づいて、可変表示中に、前記特定表示結果となる可能性を予告する予告演出（例えば、予告演出Ａ、予告演出Ｂ、ステップアップ予告演出など）を実行する予告演出実行手段（例えば、予告演出実行決定テーブルに基づいて、予告演出を決定する演出制御用ＣＰＵ１２０など）と、
前記保留記憶手段が記憶する保留記憶に基づいて特定表示（例えば、保留表示図柄など）を表示する特定表示手段（例えば、第１保留表示領域５Ｈａや第２保留表示領域５Ｈｂに保留表示図柄を表示する画像表示装置５など）と、
前記特定表示結果となるか否かを、前記決定手段による決定前に判定する判定手段と、
前記判定手段による判定に基づいて、当該判定対象となった可変表示が実行される以前に開始前予告演出（例えば、チャンス目（特殊表示結果）や先読みゾーン突入演出など）を実行する開始前予告演出実行手段（例えば、先読み演出決定処理で先読み演出を決定する演出制御用ＣＰＵ１２０など）と、を備え、
前記開始前予告演出実行手段は、
前記特定表示の表示態様を制御する表示態様制御手段（例えば、保留表示図柄の表示色を制御する演出制御用ＣＰＵ１２０など）を含み、
前記表示態様制御手段は、前記特定表示の表示態様を変化させ（例えば、保留表示図柄の表示色を変化させるなど）ることが可能であり、
前記特定表示の表示態様には、通常態様（例えば、青色など）と、前記通常態様とは異なる特殊態様（例えば、白色及び灰色など）と、前記通常態様及び前記特殊態様とは異なる予告態様（例えば、黄色、緑色、赤色、及び、虹色など）と、が含まれ、
前記表示態様制御手段は、前記特定表示の表示態様が前記通常態様であるときよりも前記特殊態様であるときの方が高い割合で前記特定表示の表示態様を前記予告態様に変化させ（例えば、図２５〜図４４の各保留表示パターン決定テーブルにおいて、青色から予告態様の表示色に変化するパターンを含む保留表示パターンの決定割合の合計値（又は平均値）よりも、灰色又は白色から予告態様の表示色に変化する態様を含む保留表示パターンの決定割合の合計値（又は平均値）それぞれの方が高くなるようにするなど）、
前記遊技機は、前記有利状態に制御される可能性を予告する特定演出を実行する特定演出実行手段を備え、
前記表示態様制御手段は、前記特定演出の実行期間と当該実行期間以外の期間とで異なる割合で前記特定表示の表示態様を前記特殊態様にし（例えば、構成４３など）、
前記開始前予告演出実行手段が実行する前記開始前予告演出は、前記予告演出実行手段が実行している前記予告演出から分岐して実行可能である（例えば、演出制御用ＣＰＵ１２０が、ステップアップ予告演出の１つのステップから先読み予告演出へ強制的に分岐する予告演出を実行するなど）、
ことを特徴とする。
【手続補正５】
【補正対象書類名】明細書
【補正対象項目名】００１０
【補正方法】変更
【補正の内容】
【００１０】
上記の構成によれば、遊技者は特殊態様により注目するので、遊技の興趣が向上する。（４）上記目的を達成するため本発明に係る遊技機は、
可変表示を実行し、遊技者にとって有利な有利状態（例えば、大当り遊技状態など）に制御可能な遊技機（例えば、パチンコ遊技機１など）であって、
可変表示に関する情報を保留記憶として記憶する保留記憶手段（例えば、第１特図保留記憶部及び第２特図保留記憶部など）と、
可変表示を開始するときに、当該可変表示結果を特定表示結果とするか否かを決定する決定手段（特別図柄の変動表示を開始するときに遊技制御用マイクロコンピュータ１００（ＣＰＵ１０３）が、乱数値ＭＲ１などに基づいて表示結果が大当りとなるかはずれかとなるかを判定する部分）と、
前記決定手段の決定結果に基づいて、可変表示中に、前記特定表示結果となる可能性を予告する予告演出（例えば、予告演出Ａ、予告演出Ｂ、ステップアップ予告演出など）を実行する予告演出実行手段（例えば、予告演出実行決定テーブルに基づいて、予告演出を決定する演出制御用ＣＰＵ１２０など）と、
前記特定表示結果となるか否かを、前記決定手段による決定前に判定する判定手段と、
前記判定手段による判定に基づいて、当該判定対象となった可変表示が実行される以前に開始前予告演出（例えば、チャンス目（特殊表示結果）や先読みゾーン突入演出など）を実行する開始前予告演出実行手段（例えば、先読み演出決定処理で先読み演出を決定する演出制御用ＣＰＵ１２０など）と、
前記保留記憶手段が記憶する保留記憶に基づいて特定表示（例えば、保留表示図柄など）を表示する特定表示手段（例えば、第１保留表示領域５Ｈａや第２保留表示領域５Ｈｂに保留表示図柄を表示する画像表示装置５など）と、
実行中の可変表示に対応して今回表示領域（例えば、今回保留表示領域５Ｈｃなど）に前記特定表示を表示する今回表示手段（例えば、今回保留表示領域５Ｈｃに保留表示図柄を表示する画像表示装置５など）と、
前記特定表示手段及び前記今回表示手段が表示する前記特定表示の表示態様を制御する表示態様制御手段（例えば、保留表示図柄の表示色を制御する演出制御用ＣＰＵ１２０など）と、を備え、
前記表示態様制御手段は、前記特定表示手段及び前記今回表示手段が表示する前記特定表示の表示態様を現在の表示態様から他の表示態様に変化させ（例えば、保留表示図柄の表示色を変化させるなど）、
前記特定表示の表示態様には、通常態様（例えば、青色など）と、前記通常態様とは異なる特殊態様（例えば、白色及び灰色など）と、前記通常態様及び前記特殊態様とは異なる予告態様（例えば、黄色、緑色、赤色、及び、虹色など）と、が含まれ、
前記表示態様制御手段は、前記特定表示手段及び前記今回表示手段が表示する前記特定表示の表示態様が前記通常態様であるときよりも前記特殊態様であるときの方が高い割合で前記特定表示の表示態様を前記予告態様に変化させ（例えば、各全期間保留表示パターン決定テーブルにおいて、青色から予告態様の表示色に変化するパターンを含む全期間保留表示パターンの決定割合の合計値（又は平均値）よりも、灰色又は白色から予告態様の表示色に変化する態様を含む全期間保留表示パターンの決定割合の合計値（又は平均値）それぞれの方が高くなるようにするなど）、
前記遊技機は、前記有利状態に制御される可能性を予告する特定演出を実行する特定演出実行手段を備え、
前記表示態様制御手段は、前記特定演出の実行期間と当該実行期間以外の期間とで異なる割合で前記特定表示の表示態様を前記特殊態様にし（例えば、構成４３など）、
前記開始前予告演出実行手段が実行する前記開始前予告演出は、前記予告演出実行手段が実行している前記予告演出から分岐して実行可能である（例えば、演出制御用ＣＰＵ１２０が、ステップアップ予告演出の１つのステップから先読み予告演出へ強制的に分岐する予告演出を実行するなど）、
ことを特徴とする。
【手続補正６】
【補正対象書類名】明細書
【補正対象項目名】００１３
【補正方法】変更
【補正の内容】
【００１３】
上記の構成によれば、遊技者は特殊態様により注目するので、遊技の興趣が向上する。（７）上記（１）〜（６）のいずれかの遊技機において、
前記特定表示手段が表示する前記特定表示について前記有利状態に制御される可能性を予告する特定演出を実行する特定演出実行手段を備え、
前記特定演出実行手段は、前記特定表示の表示態様が前記特殊態様であるときと前記特殊態様でないときとで前記特定演出を実行する割合が異なるように、前記特定演出を実行する（例えば、構成４６など）、
ようにしてもよい。